(57)【要約】【課題】録画された番組を他の装置で視聴する場合に、番組の転送時間を短縮し、他の装置における記憶容量の消費を削減する。【解決手段】受信装置１１は、放送されてくるフルセグ番組のコンテンツとワンセグ番組のコンテンツを受信する。受信装置１１は、フルセグ番組のコンテンツとワンセグ番組のコンテンツの記録およびフルセグ番組のコンテンツの再生を制御する。受信装置１１は、所定の番組のワンセグ番組のコンテンツをモバイル機器１２に送信する。モバイル機器１２は、受信装置１１により送信されてくるワンセグ番組のコンテンツを受信し、受信されたワンセグ番組のコンテンツの記録および再生を制御する。本発明は、例えば、地上デジタルテレビジョン放送のコンテンツを送受信する送受信システムに適用することができる。【選択図】図１
2008300910.tif 000002
【特許請求の範囲】
【請求項１】
所定の番組のコンテンツを送信する送信装置と、そのコンテンツを受信する受信装置とを備える送受信システムにおいて、
前記送信装置は、
放送されてくる、前記番組のコンテンツと、そのコンテンツのデータ量を少なくしたコンテンツである少コンテンツを受信する放送受信手段と、
前記コンテンツと前記少コンテンツの記録および前記コンテンツの再生を制御する制御手段と、
前記番組の少コンテンツのうち、前記所定の番組の少コンテンツを前記受信装置に送信するコンテンツ送信手段と
を備え、
前記受信装置は、
前記コンテンツ送信手段により送信されてくる少コンテンツを受信するコンテンツ受信手段と、
受信された前記少コンテンツの記録および再生を制御する制御手段と
を備える
送信システム。
【請求項２】
所定の番組のコンテンツを受信装置に送信する送信装置において、
放送されてくる、前記番組のコンテンツと、そのコンテンツのデータ量を少なくしたコンテンツである少コンテンツを受信する放送受信手段と、
前記コンテンツと前記少コンテンツの記録および前記コンテンツの再生を制御する制御手段と、
前記番組の少コンテンツのうち、前記所定の番組の少コンテンツを前記受信装置に送信する通信手段と
を備える送信装置。
【請求項３】
前記制御手段は、前記所定の番組のコンテンツの先頭から再生が終了された位置までの時間であるコンテンツ再生時間を取得し、
前記通信手段は、前記所定の番組の少コンテンツとともに、前記コンテンツ再生時間を前記受信装置に送信する
請求項２に記載の送信装置。
【請求項４】
前記通信手段は、前記受信装置から、前記所定の番組の少コンテンツの先頭から再生が終了された位置までの時間である少コンテンツ再生時間を取得し、
前記制御手段は、前記少コンテンツ再生時間に基づいて、前記所定の番組のコンテンツの再生を制御する
請求項２に記載の送信装置。
【請求項５】
前記所定の番組の少コンテンツが放送されているかどうかを判定する判定手段
をさらに備え、
前記通信手段は、前記所定の番組の少コンテンツが放送されていると判定された場合、その少コンテンツを前記受信装置に送信する
請求項２に記載の送信装置。
【請求項６】
所定の番組のコンテンツを受信装置に送信する送信装置の送信方法において、
放送されてくる、前記番組のコンテンツと、そのコンテンツのデータ量を少なくしたコンテンツである少コンテンツを受信し、
前記コンテンツと前記少コンテンツの記録および前記コンテンツの再生を制御し、
前記番組の少コンテンツのうち、前記所定の番組の少コンテンツを前記受信装置に送信する
ステップを含む送信方法。
【請求項７】
所定の番組のコンテンツを受信装置に送信する送信処理を、コンピュータに行わせるプログラムにおいて、
放送されてくる、前記番組のコンテンツと、そのコンテンツのデータ量を少なくしたコンテンツである少コンテンツを受信し、
前記コンテンツと前記少コンテンツの記録および前記コンテンツの再生を制御し、
前記番組の少コンテンツのうち、前記所定の番組の少コンテンツを前記受信装置に送信する
ステップを含む送信処理をコンピュータに行わせるプログラム。
【請求項８】
放送されてくる、番組のコンテンツと、そのコンテンツのデータ量を少なくしたコンテンツである少コンテンツを受信する送信装置から送信されてくる、所定の番組の少コンテンツを受信する受信装置において、
前記送信装置により送信されてくる所定の番組の少コンテンツと、前記所定の番組のコンテンツの先頭から再生が終了された位置までの時間であるコンテンツ再生時間とを受信する通信手段と、
受信された前記少コンテンツの記録および再生を制御する制御手段と
を備え、
前記制御手段は、前記コンテンツ再生時間に基づいて、前記少コンテンツの再生を制御する
受信装置。
【請求項９】
前記制御手段は、前記所定の番組の少コンテンツの先頭から再生が終了された位置までの時間である少コンテンツ再生時間を取得し、
前記通信手段は、前記少コンテンツ再生時間を前記送信装置に送信する
請求項８に記載の受信装置。
【請求項１０】
放送されてくる、番組のコンテンツと、そのコンテンツのデータ量を少なくしたコンテンツである少コンテンツを受信する送信装置から送信されてくる、所定の番組の少コンテンツを受信する受信装置の受信方法において、
前記送信装置により送信されてくる所定の番組の少コンテンツと、前記所定の番組のコンテンツの先頭から再生が終了された位置までの時間であるコンテンツ再生時間とを受信し、
受信された前記少コンテンツの記録を制御し、
前記コンテンツ再生時間に基づいて、前記少コンテンツの再生を制御する
ステップを含む受信方法。
【請求項１１】
放送されてくる、番組のコンテンツと、そのコンテンツのデータ量を少なくしたコンテンツである少コンテンツを受信する送信装置から送信されてくる、所定の番組の少コンテンツを受信する受信処理を、コンピュータに行わせるプログラムにおいて、
前記送信装置により送信されてくる所定の番組の少コンテンツと、前記所定の番組のコンテンツの先頭から再生が終了された位置までの時間であるコンテンツ再生時間とを受信し、
受信された前記少コンテンツの記録を制御し、
前記コンテンツ再生時間に基づいて、前記少コンテンツの再生を制御する
ステップを含む受信処理をコンピュータに行わせるプログラム。
【発明の詳細な説明】
【技術分野】
【０００１】
本発明は、送受信システム、送信装置および送信方法、受信装置および受信方法、並びにプログラムに関し、特に、録画された番組を他の装置で視聴する場合に、番組の転送時間を短縮し、他の装置における記憶容量の消費を削減することができるようにした送受信システム、送信装置および送信方法、受信装置および受信方法、並びにプログラムに関する。
【背景技術】
【０００２】
従来、テレビジョン視聴装置が、そこで視聴されているテレビジョン放送を特定する視聴情報を、携帯電話機に送信し、携帯電話機が、その視聴情報に基づいてテレビジョン放送を受信することにより、テレビジョン視聴装置で視聴されていたテレビジョン放送を携帯電話機で連続して視聴可能にすることが考えられている（例えば、特許文献１参照）。
【０００３】
また、録画装置が、録画したテレビジョン放送の番組を、携帯電話機などのモバイル機器にコピーすることにより、その番組を外部の機器で視聴可能にすることが考えられている。
【０００４】
ところで、地上デジタルテレビジョン放送の番組を録画する録画装置は、外部のモバイル機器に、録画した番組をコピーする場合、12セグメントで放送される通常放送（以下、フルセグという）の番組のコンテンツを、モバイル機器に転送する。しかしながら、フルセグで放送される番組（以下、フルセグ番組という）のコンテンツの容量は大きいため、転送時間が長く、また、転送されてきたコンテンツを記録するために、転送先であるモバイル機器のメモリの記憶容量を多く消費していた。
【０００５】
そこで、録画装置が、フルセグ番組のコンテンツを再エンコードして、その容量を小さくし、その容量を小さくしたコンテンツをモバイル機器に転送することが考えられている。この場合、転送時間と、転送先であるモバイル機器のメモリの記憶容量の消費を削減することができるが、録画装置に再エンコード用のハードウェアを新たに設ける必要がある。
【０００６】
また、ARIB（Association of Radio Industries and Businesses）により規定されたコピーワンスのコンテンツを録画装置から外部のモバイル機器へコピーする場合には、コピー元である録画装置にはコンテンツを残しておけないため、録画装置は、そのコンテンツを、削除しなければならない。逆に、外部のモバイル機器から録画装置にコピーワンスのコンテンツをコピーする場合には、モバイル機器は、そのコンテンツを削除しなければならない。
【０００７】
従って、録画装置およびモバイル機器の一方から他方へ番組をコピーした後は、その番組をコピー元では視聴することができなくなる。また、録画装置が番組のコンテンツを再エンコードしてモバイル機器に転送する場合、モバイル機器が、その番組の再エンコード後のコンテンツを録画装置に転送することによって戻したとしても、再エンコード前のコンテンツは既に削除されているので、録画装置では、再エンコード後の画質の劣化したコンテンツしか視聴することができない。
【０００８】
【特許文献１】特開２００６−１４１２２号公報
【発明の開示】
【発明が解決しようとする課題】
【０００９】
以上のように、再エンコード用のハードウェアを新たに設ける必要があるといった問題や、転送するコンテンツがコピーワンスのコンテンツである場合、転送先から戻したとしても視聴可能なコンテンツの画質は劣化するといった問題があるため、録画装置が番組のコンテンツを再エンコードしてモバイル機器に転送することは好ましくない。
【００１０】
従って、従来の地上デジタルテレビジョン放送の番組を録画する録画装置では、録画したコンテンツを外部のモバイル機器にコピーする場合、転送時間と、転送先であるモバイル機器のメモリの記憶容量の消費を削減することは困難であった。
【００１１】
本発明は、このような状況に鑑みてなされたものであり、録画された番組を他の装置で視聴する場合に、番組の転送時間を短縮し、他の装置における記憶容量の消費を削減することができるようにするものである。
【課題を解決するための手段】
【００１２】
本発明の第１の側面の送受信システムは、所定の番組のコンテンツを送信する送信装置と、そのコンテンツを受信する受信装置とを備える送受信システムにおいて、前記送信装置は、放送されてくる、前記番組のコンテンツと、そのコンテンツのデータ量を少なくしたコンテンツである少コンテンツを受信する放送受信手段と、前記コンテンツと前記少コンテンツの記録および前記コンテンツの再生を制御する制御手段と、前記番組の少コンテンツのうち、前記所定の番組の少コンテンツを前記受信装置に送信するコンテンツ送信手段とを備え、前記受信装置は、前記コンテンツ送信手段により送信されてくる少コンテンツを受信するコンテンツ受信手段と、前記少コンテンツの記録および再生を制御する制御手段とを備える。
【００１３】
本発明の第２の側面の送信装置は、所定の番組のコンテンツを受信装置に送信する送信装置において、放送されてくる、前記番組のコンテンツと、そのコンテンツのデータ量を少なくしたコンテンツである少コンテンツを受信する放送受信手段と、前記コンテンツと前記少コンテンツの記録および前記コンテンツの再生を制御する制御手段と、前記番組の少コンテンツのうち、前記所定の番組の少コンテンツを前記受信装置に送信する通信手段とを備える。
【００１４】
本発明の第２の側面の送信装置においては、前記制御手段は、前記所定の番組のコンテンツの先頭から再生が終了された位置までの時間であるコンテンツ再生時間を取得し、前記通信手段は、前記所定の番組の少コンテンツとともに、前記コンテンツ再生時間を前記受信装置に送信することができる。
【００１５】
本発明の第２の側面の送信装置においては、前記通信手段は、前記受信装置から、前記所定の番組の少コンテンツの先頭から再生が終了された位置までの時間である少コンテンツ再生時間を取得し、前記制御手段は、前記少コンテンツ再生時間に基づいて、前記所定の番組のコンテンツの再生を制御することができる。
【００１６】
本発明の第２の側面の送信装置は、前記所定の番組の少コンテンツが放送されているかどうかを判定する判定手段をさらに設け、前記通信手段は、前記所定の番組の少コンテンツが放送されていると判定された場合、その少コンテンツを前記受信装置に送信することができる。
【００１７】
本発明の第２の側面の送信方法は、所定の番組のコンテンツを受信装置に送信する送信装置の送信方法において、放送されてくる、前記番組のコンテンツと、そのコンテンツのデータ量を少なくしたコンテンツである少コンテンツを受信し、前記コンテンツと前記少コンテンツの記録および前記コンテンツの再生を制御し、前記番組の少コンテンツのうち、前記所定の番組の少コンテンツを前記受信装置に送信するステップを含む。
【００１８】
本発明の第２の側面のプログラムは、所定の番組のコンテンツを受信装置に送信する送信処理を、コンピュータに行わせるプログラムにおいて、放送されてくる、前記番組のコンテンツと、そのコンテンツのデータ量を少なくしたコンテンツである少コンテンツを受信し、前記コンテンツと前記少コンテンツの記録および前記コンテンツの再生を制御し、前記番組の少コンテンツのうち、前記所定の番組の少コンテンツを前記受信装置に送信するステップを含む送信処理をコンピュータに行わせる。
【００１９】
本発明の第３の側面の受信装置は、放送されてくる、番組のコンテンツと、そのコンテンツのデータ量を少なくしたコンテンツである少コンテンツを受信する送信装置から送信されてくる、所定の番組の少コンテンツを受信する受信装置において、前記送信装置により送信されてくる所定の番組の少コンテンツと、前記所定の番組のコンテンツの先頭から再生が終了された位置までの時間であるコンテンツ再生時間とを受信する通信手段と、受信された前記少コンテンツの記録および再生を制御する制御手段とを備え、前記制御手段は、前記コンテンツ再生時間に基づいて、前記少コンテンツの再生を制御する。
【００２０】
本発明の第３の側面の受信装置においては、前記制御手段は、前記所定の番組の少コンテンツの先頭から再生が終了された位置までの時間である少コンテンツ再生時間を取得し、前記通信手段は、前記少コンテンツ再生時間を前記送信装置に送信する。
【００２１】
本発明の第３の側面の受信方法は、放送されてくる、番組のコンテンツと、そのコンテンツのデータ量を少なくしたコンテンツである少コンテンツを受信する送信装置から送信されてくる、所定の番組の少コンテンツを受信する受信装置の受信方法において、前記送信装置により送信されてくる所定の番組の少コンテンツと、前記所定の番組のコンテンツの先頭から再生が終了された位置までの時間であるコンテンツ再生時間とを受信し、受信された前記少コンテンツの記録を制御し、前記コンテンツ再生時間に基づいて、前記少コンテンツの再生を制御するステップを含む。
【００２２】
本発明の第３の側面のプログラムは、放送されてくる、番組のコンテンツと、そのコンテンツのデータ量を少なくしたコンテンツである少コンテンツを受信する送信装置から送信されてくる、所定の番組の少コンテンツを受信する受信処理を、コンピュータに行わせるプログラムにおいて、前記送信装置により送信されてくる所定の番組の少コンテンツと、前記所定の番組のコンテンツの先頭から再生が終了された位置までの時間であるコンテンツ再生時間とを受信し、受信された前記少コンテンツの記録を制御し、前記コンテンツ再生時間に基づいて、前記少コンテンツの再生を制御するステップを含む受信処理をコンピュータに行わせる。
【００２３】
本発明の第１の側面においては、送信装置が、放送されてくる、番組のコンテンツと、そのコンテンツのデータ量を少なくしたコンテンツである少コンテンツを受信し、コンテンツと少コンテンツの記録およびコンテンツの再生を制御し、番組の少コンテンツのうち、所定の番組の少コンテンツを受信装置に送信し、受信装置が、送信装置により送信されてくる少コンテンツを受信し、少コンテンツの記録および再生を制御する。
【００２４】
本発明の第２の側面においては、放送されてくる、番組のコンテンツと、そのコンテンツのデータ量を少なくしたコンテンツである少コンテンツが受信され、コンテンツと少コンテンツの記録およびコンテンツの再生が制御され、番組の少コンテンツのうち、所定の番組の少コンテンツが受信装置に送信される。
【００２５】
本発明の第３の側面においては、送信装置により送信されてくる所定の番組の少コンテンツと、所定の番組のコンテンツの先頭から再生が終了された位置までの時間であるコンテンツ再生時間とが受信され、受信された少コンテンツの記録が制御され、コンテンツ再生時間に基づいて、少コンテンツの再生が制御される。
【発明の効果】
【００２６】
以上のように、本発明の第１の側面によれば、録画された番組を他の装置で視聴する場合に、番組の転送時間を短縮し、他の装置における記憶容量の消費を削減することができる。
【００２７】
また、本発明の第２の側面によれば、録画された番組を他の装置で視聴する場合に、番組の転送時間を短縮し、他の装置における記憶容量の消費を削減することができる。
【００２８】
さらに、本発明の第３の側面によれば、他の装置で録画された番組を視聴する場合に、番組の転送時間を短縮し、記憶容量の消費を削減することができる。また、本発明の第３の側面によれば、他の装置で録画された番組を連続再生することができる。
【発明を実施するための最良の形態】
【００２９】
以下に本発明の実施の形態を説明するが、本発明の構成要件と、明細書又は図面に記載の実施の形態との対応関係を例示すると、次のようになる。この記載は、本発明をサポートする実施の形態が、明細書又は図面に記載されていることを確認するためのものである。従って、明細書又は図面中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００３０】
本発明の第１の側面の送受信システムは、
所定の番組のコンテンツを送信する送信装置（例えば、図１の受信装置１１）と、そのコンテンツを受信する受信装置（例えば、図１のモバイル機器１２）とを備える送受信システム（例えば、図１の送受信システム１０）において、
前記送信装置は、
放送されてくる、前記番組のコンテンツ（例えば、フルセグ番組のコンテンツ）と、そのコンテンツのデータ量を少なくしたコンテンツである少コンテンツ(例えば、ワンセグ番組のコンテンツ)を受信する放送受信手段(例えば、図２のチューナ部２１)と、
前記コンテンツと前記少コンテンツの記録および前記コンテンツの再生を制御する制御手段(例えば、図２のCPU３２)と、
前記番組の少コンテンツのうち、前記所定の番組の少コンテンツを前記受信装置に送信するコンテンツ送信手段(例えば、図２の外部I/F部３０)と
を備え、
前記受信装置は、
前記コンテンツ送信手段により送信されてくる少コンテンツを受信するコンテンツ受信手段（例えば、図４の外部I/F部５８）と、
前記少コンテンツの記録および再生を制御する制御手段（例えば、図４のCPU６０）と
を備える。
【００３１】
本発明の第２の側面の送信装置は、
所定の番組のコンテンツを受信装置(例えば、図１のモバイル機器１２)に送信する送信装置（例えば、図１の受信装置１１）において、
放送されてくる、前記番組のコンテンツ（例えば、フルセグ番組のコンテンツ）と、そのコンテンツのデータ量を少なくしたコンテンツである少コンテンツ(例えば、ワンセグ番組のコンテンツ)を受信する放送受信手段(例えば、図２のチューナ部２１)と、
前記コンテンツと前記少コンテンツの記録および前記コンテンツの再生を制御する制御手段(例えば、図３の管理制御部４１)と、
前記番組の少コンテンツのうち、前記所定の番組の少コンテンツを前記受信装置に送信する通信手段（例えば、図２の外部I/F部３０）と
を備える。
【００３２】
本発明の第２の側面の送信装置は、
前記所定の番組の少コンテンツが放送されているかどうかを判定する判定手段（例えば、図３の連携制御部４２）
をさらに備え、
前記通信手段は、前記所定の番組の少コンテンツが放送されていると判定された場合、その少コンテンツを前記受信装置に送信する。
【００３３】
本発明の第２の側面の送信方法は、
所定の番組のコンテンツを受信装置（例えば、図１のモバイル機器１２）に送信する送信装置（例えば、図１の受信装置１１）の送信方法において、
放送されてくる、前記番組のコンテンツ(例えば、フルセグ番組のコンテンツ)と、そのコンテンツのデータ量を少なくしたコンテンツである少コンテンツ(例えば、ワンセグ番組のコンテンツ)を受信し(例えば、図１３のステップＳ１０１)、
前記コンテンツと前記少コンテンツの記録および前記コンテンツの再生を制御し（例えば、図７のステップＳ１１乃至Ｓ１６）、
前記番組の少コンテンツのうち、前記所定の番組の少コンテンツを前記受信装置に送信する(例えば、図９のステップＳ４５)
ステップを含む。
【００３４】
本発明の第３の側面の受信装置は、
放送されてくる、番組のコンテンツ(例えば、フルセグ番組のコンテンツ)と、そのコンテンツのデータ量を少なくしたコンテンツである少コンテンツ(例えば、ワンセグ番組のコンテンツ)を受信する送信装置（例えば、図１の受信装置１１）から送信されてくる、所定の番組の少コンテンツを受信する受信装置(例えば、図１のモバイル機器１２)において、
前記送信装置により送信されてくる所定の番組の少コンテンツと、前記所定の番組のコンテンツの先頭から再生が終了された位置までの時間であるコンテンツ再生時間とを受信する通信手段(例えば、図４の外部I/F部５８)と、
受信された前記少コンテンツの記録および再生を制御する制御手段（例えば、図４のCPU６０）と
を備え、
前記制御手段は、前記コンテンツ再生時間に基づいて、前記少コンテンツの再生を制御する。
【００３５】
本発明の第３の側面の受信方法は、
放送されてくる、番組のコンテンツ(例えば、フルセグ番組のコンテンツ)と、そのコンテンツのデータ量を少なくしたコンテンツである少コンテンツ(例えば、ワンセグ番組のコンテンツ)を受信する送信装置(例えば、図１の受信装置１１)から送信されてくる、所定の番組の少コンテンツを受信する受信装置（例えば、図１のモバイル機器１２）の受信方法において、
前記送信装置により送信されてくる所定の番組の少コンテンツと、前記所定の番組のコンテンツの先頭から再生が終了された位置までの時間であるコンテンツ再生時間とを受信し(例えば、図１１のステップＳ７１)、
受信された前記少コンテンツの記録を制御し(例えば、図１１のステップＳ７２)、
前記コンテンツ再生時間に基づいて、前記少コンテンツの再生を制御する（例えば、図４のCPU６０が行う図７のステップＳ１１乃至Ｓ１６と同様の処理）
ステップを含む。
【００３６】
以下、本発明を適用した具体的な実施の形態について、図面を参照しながら詳細に説明する。
【００３７】
図１は、本発明を適用した送受信システムの構成例を示すブロック図である。
【００３８】
図１の送受信システム１０は、受信装置１１とモバイル機器１２により構成され、受信装置１１とモバイル機器１２は、有線または無線のネットワーク（図示せず）を介して接続される。
【００３９】
受信装置１１は、地上デジタルテレビジョン放送を受信する。この地上デジタルテレビジョン放送では、6メガヘルツの放送帯域が13のセグメントに分けられており、そのうちの12セグメントが、番組の映像、音声、データなどからなるコンテンツを放送する固定受信機向けのフルセグに用いられ、1セグメントが、番組のコンテンツを放送する、携帯型電話機や移動体端末などの携帯型端末装置向けの簡易放送（以下、ワンセグという）に用いられている。
【００４０】
なお、フルセグには、HD（High Definition）放送またはSD（Standard Definition）放送がある。また、ワンセグでは、携帯型端末装置でも受信することができるように、フルセグより低い転送レートで放送される。
【００４１】
ワンセグの動画は、例えば、H.264/AVC規格に準拠して圧縮され、1サービス当たりのES（Elementary Stream)データのパケット数は、最大で1つであり、音声は、例えばAAC（Advanced Audio Coding）規格に準拠して圧縮され、１サービス当たりのESデータのパケット数は、最大で２つである。
【００４２】
受信装置１１は、受信した地上デジタルテレビジョン放送のうちのフルセグで放送されるフルセグ番組の映像や音声を出力する。また、受信装置１１は、フルセグ番組と、ワンセグで放送されるワンセグ番組を録画する。
【００４３】
さらに、受信装置１１は、ユーザからの連続再生の指令に応じて、録画されているフルセグ番組を、そのフルセグ番組に対応付けて記録している、番組の先頭から前回の再生終了位置までの相対的な再生時間である相対時間に基づく位置から再生する。なお、まだ相対時間が記憶されていない場合、受信装置１１は、フルセグ番組を先頭から再生する。
【００４４】
また、受信装置１１は、フルセグ番組の再生を終了したとき、後述する映像デコード部２４（図２）のSTC（System Time Clock）から相対時間を求め、その相対時間を記録する。さらに、受信装置１１は、後述するモバイル機器１２から送信されてくる番組の相対時間を、その番組のフルセグ番組に対応付けて記録する。
【００４５】
さらに、受信装置１１は、ユーザからの受信装置１１からモバイル機器１２への番組のムーブの指令に応じて、録画されている番組のうちのワンセグ番組と、それに対応する相対時間を、モバイル機器１２に送信する。なお、ムーブとは、転送後に転送元に転送対象を残さないように転送を行うことをいう。
【００４６】
モバイル機器１２は、受信装置１１から送信されてくるワンセグ番組と相対時間を受信し、そのワンセグ番組と相対時間を対応付けて記録する。モバイル機器１２は、ユーザからの連続再生の指令に応じて、そのワンセグ番組と対応付けて記憶されている相対時間に基づく位置から再生する。ワンセグ番組の再生が終了したとき、モバイル機器１２は、後述する映像デコード部５２（図４）のSTCから相対時間を求め、その相対時間を記録する。また、モバイル機器１２は、ユーザからのモバイル機器１２から受信装置１１への番組のムーブの指令に応じて、記録している相対時間を受信装置１１に送信する。
【００４７】
以上のように、送受信システム１０では、ユーザからのムーブの指令に応じて、受信装置１１からモバイル機器１２にワンセグ番組が送信されるので、モバイル機器１２が、地上デジタルテレビジョン放送を受信するチューナを有していなくても、ユーザは、モバイル機器１２で地上デジタルテレビジョン放送のワンセグ番組を視聴することができる。
【００４８】
また、送受信システム１０では、ユーザからのムーブの指令に応じて、受信装置１１からモバイル機器１２にワンセグ番組とともに相対時間が送信され、モバイル機器１２により、その相対時間に基づく位置から、ワンセグ番組が再生されるので、ユーザは、受信装置１１で途中まで視聴した番組を、モバイル機器１２で連続して再生することができる。
【００４９】
一方、送受信システム１０では、ユーザからのムーブの指令に応じて、モバイル機器１２から相対時間が送信され、受信装置１１により、その相対時間に基づく位置から、フルセグ番組が再生されるので、ユーザは、モバイル機器１２で途中まで視聴した番組を、受信装置１１で連続して再生することができる。
【００５０】
図２は、図１の受信装置１１の詳細構成例を示すブロック図である。
【００５１】
図２の受信装置１１では、チューナ部２１、ストリーム入力部２２、パケット処理部２３、映像デコード部２４、音声デコード部２５、バッファ部２８、外部I/F（Interface）部３０、メモリ３１、CPU（Central Processing Unit）３２、記録部３３、およびドライブ３４が、バス２９を介して接続されている。
【００５２】
チューナ部２１は、CPU３２の制御により、図示せぬ放送局により地上デジタルテレビジョン放送で放送される番組の、MPEG2（Moving Picture Experts Group phase 2）規格に準拠して映像と音声が多重化されたコンテンツを受信する。
【００５３】
具体的には、チューナ部２１は、図示せぬ放送局から送信されてくる、HD放送またはSD放送のフルセグ番組のコンテンツのTS（Transport Stream）パケット、ワンセグ番組のコンテンツのTSパケット、簡便な選局操作を実現するための情報であるプログラム仕様情報（PSI(Program Specific Information)）のTSパケット等が多重化されたTSストリームを受信する。
【００５４】
なお、PSIのTSパケットには、例えば、プログラム・アソシエーション・テーブル（PAT(Program Association Table)）、プログラム・マップ・テーブル（PMT(Program Map Table)）、ネットワーク・インフォメーション・テーブル（NIT(Network Information Table)）等のテーブル類がセクション形式で配置される。
【００５５】
チューナ部２１は、受信したTSストリームを、放送ストリームとして、ストリーム入力部２２に出力する。ストリーム入力部２２は、CPU３２の制御により、チューナ部２１から出力される放送ストリームから、所望の放送ストリームを選択し、パケット処理部２３に入力する。
【００５６】
パケット処理部２３は、CPU３２の制御により、ストリーム入力部２２から入力される放送ストリームから、パーシャルトランスポートストリーム（以下、パーシャルTSいう）を生成する。なお、パーシャルTSとは、放送ストリームで多重化されたコンテンツのうち、所望のコンテンツのみが多重化されているTSであり、これに対して、放送局から放送されてきたTSストリームそのものである放送ストリームを、フルトランスポートストリーム（以下、フルTSという）という。
【００５７】
具体的には、パケット処理部２３は、フルTSである放送ストリームに対し、PAT，PMT、コンテンツなどのパケットのフィルタリング処理と、パケットが到着した時刻を表すタイムスタンプの付加、フルTSのPATとPMTのパケットの、パーシャルTSのPATとPMTのパケットへの置換、SIT（Selection Information Table）パケットの挿入、メタデータの作成などの処理を行うことで、パーシャルTSを生成する。
【００５８】
そして、パケット処理部２３は、CPU３２の制御により、生成したパーシャルTSを、フルセグ番組のパーシャルTSとワンセグ番組のパーシャルTSに分離して、バッファ部２８とバス２９を介して、HDD（Hard Disk Drive）などの記録部３３に供給して記録させる。このとき、パケット処理部２３は、フルセグ番組およびワンセグ番組のパーシャルTSに記述されている、再生出力の時刻管理情報であるPTS（再生表示時間）、ランダム再生の開始に必要なデコードの開始位置を表す位置情報などからなるメタ情報、並びに、ワンセグで放送されるワンセグ番組用のEITであるL-EIT（Event Information Table）セクションも、記録部３３に供給して記録させる。
【００５９】
また、パケット処理部２３は、CPU３２の制御により、受信または録画されたフルセグ番組のパーシャルTSのうちの映像のPES(Packetized Elementary Stream)データまたはESデータ（以下、映像データという）を映像デコード部２４に供給し、音声のPESデータまたはESデータ（以下、音声データという）を音声デコード部２５に供給する。
【００６０】
映像デコード部２４は、CPU３２の制御により、STCを計時する。映像デコード部２４は、計時しているSTCと一致するPTSに対応する、パケット処理部２３から供給されるフルセグ番組の映像データをデコードし、その結果得られるフルセグ番組の映像信号を映像表示部２６に出力する。映像デコード部２４は、再生を終了したときのSTCを、バス２９を介してCPU３２に供給する。
【００６１】
音声デコード部２５は、CPU３２の制御により、パケット処理部２３から供給されるフルセグ番組の音声データをデコードし、その結果得られるフルセグ番組の音声信号を音声出力部２７に出力する。映像表示部２６は、映像デコード部２４から供給されるフルセグ番組の映像信号に基づいて、フルセグ番組の映像を表示する。音声出力部２７は、音声デコード部２５から供給されるフルセグ番組の音声信号に基づいて、フルセグ番組の音声を出力する。
【００６２】
バッファ部２８は、パケット処理部２３から供給される、フルセグ番組のパーシャルTS、ワンセグ番組のパーシャルTS、フルセグ番組のメタ情報、ワンセグ番組のメタ情報、およびL-EITセクションを一時的に記憶する。また、バッファ部２８は、記憶しているフルセグ番組のパーシャルTS、ワンセグ番組のパーシャルTS、フルセグ番組のメタ情報、ワンセグ番組のメタ情報、およびL-EITセクションを、バス２９を介して記録部３３に供給し、記録させる。
【００６３】
外部I/F部３０は、図示せぬネットワークを介して、外部のモバイル機器１２（図１）と接続されており、モバイル機器１２と通信を行う。メモリ３１は、CPU３２から必要に応じて供給される、CPU３２による処理の結果や処理の途中結果を記憶する。また、メモリ３１は、CPU３２が実行するプログラムを必要に応じて記憶する。
【００６４】
CPU３２は、例えば、記録部３３に記録されているプログラムを、バス２９を介してメモリ３１にロードして実行することにより、各種の処理を制御する。例えば、CPU３２は、ユーザからの連続再生の指令に応じて、再生対象とするフルセグ番組のパーシャルTSに対応して記録部３３に記録されている相対時間を読み出す。そして、CPU３２は、その相対時間に基づく位置から、記録部３３に記録されている再生対象のフルセグ番組のパーシャルTSを読み出し、パケット処理部２３に供給する。その結果、ユーザの所望の番組のフルセグ番組の映像や音声が、前回の再生終了位置に基づく位置から出力される。
【００６５】
また、CPU３２は、映像デコード部２４から供給される、再生が終了された位置のPTSの値と同一のSTCから、相対時間を求め、その相対時間を記録部３３に記録させる。
【００６６】
さらに、CPU３２は、ユーザからの受信装置１１からモバイル機器１２への番組のムーブの指令に応じ、その番組のフルセグ番組のパーシャルTSに対応して記録されている相対時間と、その番組のワンセグ番組のパーシャルTS、ワンセグ番組のメタ情報、およびL-EITセクションを記録部３３から読み出す。そして、CPU３２は、バス２９と外部I/F部３０を介して、相対時間、ワンセグ番組のパーシャルTS、ワンセグ番組のメタ情報、およびL-EITセクションをモバイル機器１２に送信する。
【００６７】
また、CPU３２は、モバイル機器１２から外部I/F部３０とバス２９を介して受信される番組の相対時間を、その番組のフルセグ番組のパーシャルTSに対応付けて記録部３３に記録させる。
【００６８】
記録部３３は、CPU３２の制御により、バッファ部２８から供給されるフルセグ番組のパーシャルTS、ワンセグ番組のパーシャルTS、フルセグ番組のメタ情報、ワンセグ番組のメタ情報、およびL-EITセクションを記録する。また、記録部３３は、CPU３２から供給される相対時間を、フルセグ番組のパーシャルTSと対応付けて記録する。
【００６９】
ドライブ３４には、必要に応じて、例えば、磁気ディスク（フレキシブルディスクを含む）、光ディスク（CD-ROM(Compact Disc-Read Only Memory),DVD(Digital Versatile Disc)等）、光磁気ディスク、もしくは半導体メモリなどよりなるパッケージメディアであるリムーバブルメディア３５が装着される。ドライブ３４は、装着されたリムーバブルメディア３５に記録されているCPU３２が実行するプログラムを、バス２９を介して記録部３３にインストールする。
【００７０】
なお、CPU３２が実行するプログラムは、ローカルエリアネットワーク、インターネット、デジタル衛星放送といった、有線または無線の伝送媒体を介して提供されるようにすることができる。この場合、CPU３２が実行するプログラムは、有線または無線の伝送媒体を介して外部I/F部３０で受信され、記録部３３にインストールされる。また、その他、CPU３２が実行するプログラムは、メモリ３１や記録部３３に、予めインストールしておくことができる。
【００７１】
次に、図３は、図２のCPU３２の機能的構成例を示すブロック図である。
【００７２】
図３のCPU３２は、管理制御部４１と連携制御部４２により構成される。
【００７３】
管理制御部４１は、番組の記録と再生に関する制御を行う。具体的には、管理制御部４１は、ユーザからの録画の指令に応じて、チューナ部２１、ストリーム入力部２２、およびパケット処理部２３を制御し、ユーザの所望の番組のパーシャルTS等を記録部３３に記録させる。
【００７４】
また、管理制御部４１は、ユーザからの連続再生の指令に応じて、再生対象とするフルセグ番組のパーシャルTSに対応して記録部６１に記録されている相対時間に基づく位置から、記録部３３に記録されている再生対象のフルセグ番組のパーシャルTSを読み出し、パケット処理部２３に供給する。
【００７５】
さらに、管理制御部４１は、映像デコード部２４から供給されるSTCから相対時間を求め、その相対時間を記録部３３に記録させる。
【００７６】
連携制御部４２は、外部のモバイル機器１２との処理を制御する。具体的には、例えば、連携制御部４２は、ユーザからの受信装置１１からモバイル機器１２への番組のムーブの指令に応じて、その番組がサイマル放送の番組であるかどうか、即ち、その番組のワンセグ番組があるかどうかを判定する。ムーブ対象とする番組がサイマル放送の番組である場合、連携制御部４２は、その番組のフルセグ番組のパーシャルTSに対応して記録部３３に記録されている相対時間、その番組のワンセグ番組のパーシャルTS、ワンセグ番組のメタ情報、およびL-EITセクションを読み出し、バス２９と外部I/F部３０を介して、モバイル機器１２に送信する。そして、連携制御部４２は、送信済みのワンセグ番組のパーシャルTS、ワンセグ番組のメタ情報、およびL-EITセクションを記録部３３から削除する。
【００７７】
また、連携制御部４２は、モバイル機器１２から外部I/F部３０とバス２９を介して受信される番組の相対時間を、その番組のフルセグ番組のパーシャルTSに対応付けて記録部３３に記録させる。
【００７８】
図４は、図１のモバイル機器１２の詳細構成例を示すブロック図である。
【００７９】
図４のモバイル機器１２では、パケット処理部５１、映像デコード部５２、音声デコード部５３、バッファ部５６、外部I/F部５８、メモリ５９、CPU６０、および記録部６１が、バス５７を介して接続されている。
【００８０】
パケット処理部５１は、CPU６０の制御により、外部I/F部５８により受信された相対時間、ワンセグ番組のパーシャルTS、ワンセグ番組のメタ情報、およびL-EITセクションを、バッファ部５６とバス５７を介して、HDDなどの記録部６１に供給して記録させる。
【００８１】
また、パケット処理部５１は、記録部６１から読み出されたワンセグ番組のパーシャルTSのうちの映像データを映像デコード部５２に供給し、音声データを音声デコード部５３に供給する。
【００８２】
映像デコード部５２は、CPU６０の制御により、STCを計時する。映像デコード部５２は、計時しているSTCと一致するPTSに対応する、パケット処理部５１から供給されるワンセグ番組の映像データをデコードし、その結果得られるワンセグ番組の映像信号を映像表示部５４に出力する。映像デコード部２４は、再生を終了したときのSTCを、バス５７を介してCPU６０に供給する。
【００８３】
音声デコード部５３は、CPU６０の制御により、パケット処理部５１から供給されるワンセグ番組の音声データをデコードし、その結果得られるワンセグ番組の音声信号を音声出力部５５に出力する。映像表示部５４は、映像デコード部５２から供給されるワンセグ番組の映像信号に基づいて、ワンセグ番組の映像を表示する。音声出力部５５は、音声デコード部５３から供給されるワンセグ番組の音声信号に基づいて、ワンセグ番組の音声を出力する。
【００８４】
バッファ部５６は、パケット処理部５１から供給される相対時間、ワンセグ番組のパーシャルTS、ワンセグ番組のメタ情報、およびL-EITセクションを一時的に記憶する。また、バッファ部５６は、記憶している相対時間、ワンセグ番組のパーシャルTS、ワンセグ番組のメタ情報、およびL-EITセクションを、バス５７を介して記録部６１に供給し、それぞれを対応付けて記録させる。
【００８５】
外部I/F部５８は、図示せぬネットワークを介して、外部の受信装置１１と接続されており、受信装置１１と通信を行う。メモリ５９は、CPU６０から必要に応じて供給される、CPU６０による処理の結果や処理の途中結果を記憶する。また、メモリ５９は、CPU６０が実行するプログラムを必要に応じて記憶する。
【００８６】
CPU６０は、例えば、記録部６１に記録されているプログラムを、バス５７を介してメモリ５９にロードして実行することにより、各種の処理を制御する。例えば、CPU６０は、ユーザからの連続再生の指令に応じて、再生対象とするワンセグ番組のパーシャルTSに対応して記録部６１に記録されている相対時間を読み出す。そして、CPU６０は、その相対時間に基づく位置から、記録部６１に記録されている再生対象のワンセグ番組のパーシャルTSを読み出し、パケット処理部５１に供給する。その結果、ユーザの所望の番組のワンセグ番組の映像や音声が、前回の再生終了位置に基づく位置から出力される。
【００８７】
また、CPU６０は、映像デコード部５２から供給される、再生が終了された位置のPTSの値と同一のSTCから、相対時間を求め、その相対時間を記録部６１に記録させる。
【００８８】
さらに、CPU６０は、ユーザからのモバイル機器１２から受信装置１１への番組のムーブの指令に応じて、その番組のワンセグ番組のパーシャルTSに対応して記録されている相対時間を記録部６１から読み出し、バス５７と外部I/F部５８を介して、受信装置１１に送信する。そして、CPU６０は、送信済みの相対時間と、それに対応するワンセグ番組のパーシャルTS、ワンセグ番組のメタ情報、およびL-EITセクションを記録部６１から削除する。
【００８９】
記録部６１は、CPU６０の制御により、バッファ部５６から供給されるワンセグ番組のパーシャルTSを記録する。また、記録部６１は、CPU６０から供給される相対時間を、ワンセグ番組のパーシャルTSと対応付けて記録する。
【００９０】
なお、CPU６０が実行するプログラムは、ローカルエリアネットワーク、インターネット、デジタル衛星放送といった、有線または無線の伝送媒体を介して提供されるようにすることができる。この場合、CPU６０が実行するプログラムは、有線または無線の伝送媒体を介して外部I/F５８で受信し、記録部６１にインストールされる。また、その他、CPU６０が実行するプログラムは、メモリ５９や記録部６１に、予めインストールしておくことができる。
【００９１】
次に、図５を参照して、ワンセグ番組のコンテンツのTSパケットのペイロードとして分割して記述されるPESパケットの構造について説明する。
【００９２】
図５に示すように、PESパケットには、ヘッダ、IDRアクセスユニット（IDRAU）、および複数個のアクセスユニット（AU）が順に配置される。なお、PESパケットに配置されるアクセスユニットの数は、最大で10個であり、1つのPESパケットの再生時間は0.7秒以下である。
【００９３】
PESパケットのヘッダには、PESパケットのストリームＩＤ、PTSの値、PTSおよびデコードのタイミングを示すDTSの有無を表す2ビットのPTS/DTSフラグ（PTS_DTS_flags）などが記述される。なお、PTS/DTSフラグとしては、PTSのみがヘッダに有ることを示す「10b」、DTSとPTSの両方がヘッダに有ることを示す「11b」、DTSとPTSの両方がヘッダに無いことを示す「00b」、または、禁止を示す「01b」の値をとることができるが、ワンセグ番組のPESパケットのヘッダに記述されるPTS/DTSフラグの値は、PTSのみがヘッダに有ることを示す「10b」となっている。これは、PTSが存在しないと再生表示時間を特定することができないので、ワンセグ番組のPESパケットのヘッダには、必ずPTSを記述することになっているためである。
【００９４】
IDRアクセスユニットには、デコード開始位置を表す位置情報、IDRピクチャに関する情報などの、ランダム再生の開始に必要な情報等が記述される。アクセスユニットは、H.264/AVC規格のストリームを復号するときのアクセス単位であり、各アクセスユニットには、IDRピクチャ以外のピクチャに関する情報が記述される。
【００９５】
詳細には、図５に示すように、IDRアクセスユニットは、IDRアクセスユニットの開始を表すアクセスユニットデリミッタ（AU Delimiter）と、IDRアクセスユニットの終了を表すEOS（End Of Sequence）の間に、SPS(Sequence Parameter Set)，PPS（Picture Parameter Set），SEI（Supplemental Enhancement Information）、IDRピクチャ（IDR Picture）、およびフィラーデータ（Filler Data）が順に配置されることにより構成される。
【００９６】
SPSには、ランダム再生の開始に必要な情報などのシーケンスに関するパラメータが記述され、PPSには、このIDRアクセスユニット内のIDRピクチャに関するパラメータが記述される。また、SEIには、補助的な情報が記述され、IDRピクチャには、IDRピクチャのデータが記述される。フィラーデータは、IDRアクセスユニットの長さを調整するためのデータである。
【００９７】
また、図５に示すように、アクセスユニットは、アクセスユニットの開始を表すアクセスユニットデミリッタと、アクセルユニットの終了を表すEOSの間に、PPS,SEI,NonIDRピクチャ（Non IDR Picture）、およびフィラーデータが順に配置されることにより構成される。
【００９８】
PPSには、このアクセスユニット内のIDRピクチャ以外のピクチャに関するパラメータが記述され、SEIには、補助的な情報が記述される。NonIDRピクチャには、IDRピクチャ以外のピクチャのデータが記述される。フィラーデータは、アクセスユニットの長さを調整するためのデータである。
【００９９】
次に、図６を参照して、PSIのTSパケットのペイロードとして配置されるNITの、サービス・リスト・ディスクリプタ（service_list_descriptor）に記述されるサービスIDの構造について説明する。
【０１００】
図６に示すように、サービスIDは、放送地域を識別するための情報を表す５ビットの地域識別、放送地域に含まれる県を表すフラグである２ビットの県複フラグ、サービスの種類を表す２ビットのサービス種別、放送事業者の存在する地域を識別するための情報を表す４ビットの地域事業者識別、および放送事業者を識別するための情報を表す３ビットのサービス番号により構成される。
【０１０１】
次に、図７と図８を参照して、図２の受信装置１１における連続再生処理について説明する。この連続再生処理は、例えば、ユーザから連続再生が指令されたとき、開始される。
【０１０２】
ステップＳ１１において、CPU３２の管理制御部４１は、ユーザからの連続再生の指令に応じて、記録部３３に記録されているフルセグ番組のパーシャルTSから、連続再生の再生対象とするフルセグ番組のパーシャルTSを選択する。
【０１０３】
ステップＳ１２において、管理制御部４１は、パケット処理部２３の制御を開始する。ステップＳ１３において、管理制御部４１は、再生対象のフルセグ番組に対応する相対時間とフルセグ番組のメタ情報を、記録部３３から読み出す。なお、相対時間の初期値はゼロである。
【０１０４】
ステップＳ１４において、管理制御部４１は、ステップＳ１３で読み出した相対時間とフルセグ番組のメタ情報に基づいて、再生開始位置を決定する。具体的には、管理制御部４１は、フルセグ番組のメタ情報に基づいて、再生対象のフルセグ番組の先頭のPTSから相対時間後の再生時刻を求め、その再生時刻付近のPTSを有するPESパケット（図５）の先頭の位置を再生開始位置として決定する。なお、PESパケットの先頭の位置ではなく、PESパケット内の再生時刻に対応する位置を再生開始位置として決定するようにしてもよい。
【０１０５】
ステップＳ１５において、管理制御部４１は、ステップＳ１４で決定した再生開始位置を補正する。例えば、管理制御部４１は、ステップＳ１４で決定した再生開始位置より15秒前に再生される位置を、新たな再生開始位置とする。
【０１０６】
なお、MPEG2規格では、1つのPESパケットの再生時間は、最大で0.7秒である。従って、ステップＳ１５において、管理制御部４１が、ステップＳ１４で決定した再生開始位置に15秒分の余裕を持たせることにより、ステップＳ１４でPESパケット内の、再生時刻に対応する正確な位置を、再生開始位置として決定せず、PESパケットの先頭位置を、再生開始位置として決定することによる誤差を吸収することができる。
【０１０７】
ステップＳ１６において、管理制御部４１は、ステップＳ１５で補正された再生開始位置からの、記録部３３に記録されている再生対象のフルセグ番組のパーシャルTSの読み出しを開始し、パケット処理部２３に供給する。
【０１０８】
ステップＳ１７において、パケット処理部２３は、管理制御部４１の制御により、記録部３３から読み出されたフルセグ番組のパーシャルTSのうちの映像データを映像デコード部２４に出力し、音声データを音声デコード部２５に出力する。
【０１０９】
そして、図８のステップＳ１８において、映像デコード部２４は、計時しているSTCと一致するPTSに対応するパケット処理部２３から供給されるフルセグ番組の映像データをデコードし、その結果得られるフルセグ番組の映像信号を映像表示部２６に出力する。なお、映像デコード部２４は、管理制御部４１の制御により、再生開始位置に対応するPTSの値からSTCの計時を開始する。
【０１１０】
ステップＳ１９において、音声デコード部２５は、管理制御部４１の制御により、パケット処理部２３から供給されるフルセグ番組の音声データをデコードし、その結果得られるフルセグ番組の音声信号を音声出力部２７に出力する。
【０１１１】
ステップＳ２０において、映像表示部２６は、映像デコード部２４から供給されるフルセグ番組の映像信号に基づいて、フルセグ番組の映像を表示する。ステップＳ２１において、音声出力部２７は、音声デコード部２５から供給されるフルセグ番組の音声信号に基づいて、フルセグ番組の音声を出力する。
【０１１２】
ステップＳ２２において、管理制御部４１は、再生を終了するかどうか、即ち、ユーザにより再生の終了が指令されたか、または、再生対象のフルセグ番組のパーシャルTSが終端まで再生されたかどうかを判定する。ステップＳ２２で再生を終了すると判定されない場合、処理は、図７のステップＳ１７に戻り、上述した処理が繰り返される。
【０１１３】
一方、ステップＳ２２で再生を終了すると判定された場合、ステップＳ２３において、管理制御部４１は、記録部３３に記録されている再生対象のフルセグ番組のパーシャルTSの読み出しを終了する。ステップＳ２４において、管理制御部４１は、パケット処理部２３の制御を終了する。
【０１１４】
ステップＳ２５において、管理制御部４１は、再生が終了されたときのSTCを映像デコード部２４から取得する。ステップＳ２６において、管理制御部４１は、取得したSTCから相対時間を求め、その相対時間を新たな相対時間として相対時間を更新する。そして、処理は終了する。
【０１１５】
なお、図示は省略するが、図４のモバイル機器１２における連続再生処理も、図７と図８の連続再生処理と同様に行われる。但し、モバイル機器１２における連続再生処理では、ワンセグ番組のパーシャルTSが再生される。
【０１１６】
次に、図９を参照して、図２の受信装置１１におけるムーブ処理について説明する。このムーブ処理は、例えば、ユーザから、受信装置１１からモバイル機器１２への番組のムーブが指令されたとき、開始される。
【０１１７】
ステップＳ４１において、連携制御部４２は、ユーザからの、受信装置１１からモバイル機器１２への番組のムーブの指令に応じて、ムーブ対象とする番組を選択する。
【０１１８】
ステップＳ４２において、連携制御部４２は、ムーブ対象の番組のワンセグ番組があるかどうかの判定を行う判定処理を行う。この判定処理の詳細については、後述する図１０を参照して説明する。
【０１１９】
ステップＳ４３において、連携制御部４２は、ステップＳ４２の判定処理の判定結果に基づいて、ムーブ対象の番組のワンセグ番組があるかどうかを判定する。ステップＳ４３でムーブ対象の番組のワンセグ番組があると判定された場合、ステップＳ４４において、連携制御部４２は、ムーブ対象の番組のフルセグ番組のパーシャルTSに対応して記録されている相対時間、ムーブ対象の番組のワンセグ番組のパーシャルTS、そのワンセグ番組のメタ情報、およびL-EITセクションを、記録部３３から読み出し、外部I/F部３０に供給する。
【０１２０】
ステップＳ４５において、外部I/F部３０は、連携制御部４２から供給される、相対時間、ワンセグ番組のパーシャルTS、ワンセグ番組のメタ情報、およびL-EITセクションを、モバイル機器１２に送信し、処理は終了する。
【０１２１】
一方、ステップＳ４３において、ムーブ対象の番組のワンセグ番組があると判定されない場合、連携制御部４２は、ムーブを行わず、処理を終了する。なお、ムーブ対象の番組のワンセグ番組があると判定されない場合、連携制御部４２が、ムーブ対象の番組のフルセグ番組のパーシャルTSと、対応する相対時間をムーブするようにしてもよい。
【０１２２】
以上のように、連携制御部４２は、ワンセグ番組のパーシャルTSとともに、相対時間を送信するので、モバイル機器１２のCPU６０が、その相対時間に基づいて再生開始位置を決定することにより、モバイル機器１２において、フルセグ番組の再生終了位置付近から、ワンセグ番組を連続再生することができる。
【０１２３】
即ち、同一のフォーマットのコンテンツどうしであれば、同一の位置に付与されるPTSは同一であるため、STCをそのまま用いて連続再生を行うことは可能である。しかしながら、ワンセグ番組のコンテンツとフルセグ番組のコンテンツはフォーマットが異なるため、ワンセグ番組とフルセグ番組では、同一の位置に付与されるPTSは異なり、STCをそのまま用いて連続再生を行うことは困難である。従って、図１の送受信システム１０では、受信装置１１とモバイル機器１２の一方が相対時間を送信し、他方が、その相対時間に基づいて再生開始位置を決定することにより、一方における再生終了位置と他方における再生開始位置の誤差を削減し、連続再生を可能にしている。
【０１２４】
また、連携制御部４２は、モバイル機器１２にフルセグ番組ではなく、データ量の少ないワンセグ番組を送信するので、番組の転送時間を短縮することができる。例えば、16QAM（Quadrature Amplitude Modulation)変調方式の場合、ワンセグ番組のコンテンツの転送レートは最大で約624kbpsであり、フルセグ番組のコンテンツの映像の転送レートは、最大で2Mbpsであり、音声の転送レートは、最大で384kbpsであるため、モバイル機器１２へのワンセグ番組の転送時間は、フルセグ番組を転送する場合の約1/32となる。
【０１２５】
さらに、モバイル機器１２の記録部６１の記憶容量を節約することができる。また、ムーブ後も、受信装置１１では、高画質のフルセグ番組を再生することができる。
【０１２６】
次に、図１０を参照して、図９のステップＳ４２の判定処理の詳細について説明する。
【０１２７】
ステップＳ６１において、連携制御部４２は、再生対象のフルセグ番組を比較元として、比較元のNITのサービスIDのサービス番号（図６）と同一のサービス番号のNITのサービスIDを抽出する。具体的には、連携制御部４２は、「0x0007」（0000 0000 0000 0111b）でマスクをすることにより、比較元のNITのサービスIDの下位３ビット（b00乃至b02）のサービス番号を抽出する。そして、連携制御部４２は、「0x0007」でマスクをすることにより、全てのNITのサービスIDのサービス番号を抽出し、そのサービス番号が、比較元のサービス番号と同一のサービスIDを抽出する。
【０１２８】
ステップＳ６２において、連携制御部４２は、ステップＳ６１で抽出されたサービスIDのうち、サービス種別が部分受信サービスを表すサービスIDがあるかどうか、例えば、サービス種別が「３」であるサービスIDがあるかどうかを判定する。
【０１２９】
ステップＳ６２でサービス種別が部分サービスを表すサービスIDがあると判定された場合、ステップＳ６３で、連携制御部４２は、そのサービスIDと等しいプログラム番号（program_number）を有するPMTのうち、ストリーム・アイデンティファイア・ディスクリプタ（stream_identifier_descriptor）のコンポーネントタグ（component_tag）が簡易動画を表すPMTがあるかどうか、例えば、コンポーネントタグが0x81であるかどうかを判定する。
【０１３０】
ステップＳ６３で、コンポーネントタグが簡易動画を表すPMTがあると判定された場合、ステップＳ６４において、連携制御部４２は、そのPMTのプログラム番号と等しいサービスIDのうち、比較元のサービスIDと地域識別および地域事業者識別がそれぞれ等しいサービスIDがあるかどうかを判定する。
【０１３１】
ステップＳ６４で、比較元のサービスIDと地域識別および地域事業者識別がそれぞれ等しいサービスIDがあると判定された場合、ステップＳ６５において、連携制御部４２は、そのサービスIDを含むL-EITセクションに、比較元のH-EITセクションと開始時間（start_time）および放送時間（duration）が等しいイベントが含まれているかどうかを判定する。なお、H-EITセクションとは、フルセグで放送されるフルセグ番組用のEITである。
【０１３２】
ステップＳ６５で、比較元のH-EITセクションと開始時間および放送時間が等しいイベントが含まれていると判定された場合、ステップＳ６６において、連携制御部４２は、そのイベントのコンポーネントディスクリプタ（component_descriptor）のコンポーネントタグ（component_tag）が簡易動画を表しているかどうか、例えば、コンポーネントタグが0x81であるかどうかを判定する。
【０１３３】
ステップＳ６６で、イベントのコンポーネントディスクリプタのコンポーネントタグが簡易動画を表していると判定された場合、ステップＳ６７において、連携制御部４２は、そのイベントのL-EITセクションのショート・イベント・ディスクリプタ（short_event_descriptor）の番組名（event_name_char）が、比較元のH-EITセクションのショート・イベント・ディスクリプタの番組名と等しいかどうかを判定する。
【０１３４】
ステップＳ６７で、イベントのL-EITセクションのショート・イベント・ディスクリプタの番組名が、比較元のH-EITセクションのショート・イベント・ディスクリプタの番組名と等しいと判定された場合、ステップＳ６８において、連携制御部４２は、そのイベントの音声データと比較元の音声データを、それぞれ先頭から数秒間読み出し、その先頭から数秒間の音声データが一致するかどうかを判定する。
【０１３５】
ステップＳ６８で先頭から数秒間の音声データが一致すると判定された場合、ステップＳ６９において、連携制御部４２は、ムーブ対象の番組のワンセグ番組があると判定し、処理は図９のステップＳ４２に戻る。
【０１３６】
一方、ステップＳ６２でサービス種別が部分サービスを表すサービスIDがあると判定されない場合、ステップＳ６３でコンポーネントタグが簡易動画を表すPMTがあると判定されない場合、ステップＳ６４で比較元のサービスIDと地域識別および地域事業者識別がそれぞれ等しいサービスIDがあると判定されない場合、ステップＳ６５で、比較元のH-EITセクションと開始時間および放送時間が等しいイベントが含まれていると判定されない場合、ステップＳ６６でイベントのコンポーネントディスクリプタのコンポーネントタグが簡易動画を表していると判定されない場合、ステップＳ６７でイベントのL-EITセクションのショート・イベント・ディスクリプタの番組名が、比較元のH-EITセクションのショート・イベント・ディスクリプタの番組名と等しいと判定されない場合、または、ステップＳ６８で先頭から数秒間の音声データが一致すると判定されない場合、処理はステップＳ７０に進む。
【０１３７】
ステップＳ７０において、連携制御部４２は、ムーブ対象の番組のワンセグ番組がないと判定し、処理は図９のステップＳ４２に戻る。
【０１３８】
次に、図１１を参照して、図４のモバイル機器１２における受信処理について説明する。この受信処理は、例えば、図９のステップＳ４５で、受信装置１１の外部I/F部３０から、相対時間、ワンセグ番組のパーシャルTS、ワンセグ番組のメタ情報、およびL-EITセクションが送信されてきたとき、開始される。
【０１３９】
ステップＳ７１において、モバイル機器１２の外部I/F部５８は、受信装置１１の外部I/F部３０から送信されてくる、相対時間、ワンセグ番組のパーシャルTS、ワンセグ番組のメタ情報、およびL-EITセクションを受信する。
【０１４０】
ステップＳ７２において、CPU６０は、外部I/F部５８により受信された相対時間、ワンセグ番組のパーシャルTS、ワンセグ番組のメタ情報、およびL-EITセクションを、パケット処理部５１、バッファ部５６、およびバス５７を介して、記録部６１に記録させる。そして、処理は終了する。
【０１４１】
次に、図１２を参照して、図４のモバイル機器１２におけるムーブ処理について説明する。このムーブ処理は、例えば、ユーザから、モバイル機器１２から受信装置１１への番組のムーブが指令されたとき、開始される。
【０１４２】
ステップＳ８１において、CPU６０は、ユーザからの、モバイル機器１２から受信装置１１への番組のムーブの指令に応じて、ムーブ対象とする番組を選択する。
【０１４３】
ステップＳ８２において、CPU６０は、ムーブ対象の番組のワンセグ番組に対応付けられている相対時間を、記録部６１から読み出し、外部I/F５８に供給する。ステップＳ８３において、外部I/F５８は、CPU６０から供給される相対時間を、受信装置１１に送信し、処理は終了する。
【０１４４】
以上のように、CPU６０は、記録部６１に記録されている相対時間を送信するので、受信装置１１の管理制御部４１が、その相対時間に基づいて再生開始位置を決定することにより、受信装置１１において、ワンセグ番組の再生終了位置付近から、フルセグ番組を連続再生することができる。
【０１４５】
次に、図１３を参照して、図２の受信装置１１における録画処理について説明する。この録画処理は、例えば、ユーザから録画が指令されたとき、開始される。
【０１４６】
ステップＳ１０１において、チューナ部２１は、CPU３２の制御により、図示せぬ放送局により地上デジタルテレビジョン放送で放送されるTSストリームを受信する。そして、チューナ部２１は、受信したTSストリームを、放送ストリームとして、ストリーム入力部２２に出力する。ステップＳ１０２において、ストリーム入力部２２は、CPU３２の制御により、チューナ部２１から出力される放送ストリームから、所望の放送ストリームを選択し、パケット処理部２３に入力する。
【０１４７】
ステップＳ１０３において、パケット処理部２３は、CPU３２の制御により、ストリーム入力部２２から入力される放送ストリームから、パーシャルTSを生成する。ステップＳ１０４において、パケット処理部２３は、CPU３２の制御により、生成したパーシャルTSを、フルセグ番組のパーシャルTSとワンセグ番組のパーシャルTSに分離して、バッファ部２８とバス２９を介して、記録部３３に供給して記録させる。このとき、パケット処理部２３は、フルセグ番組およびワンセグ番組のメタ情報、並びに、L-EITセクションも、記録部３３に供給して記録させる。そして、処理は終了する。
なお、上述した説明では、受信装置１１からモバイル機器１２に番組をムーブしたが、番組をコピーするようにしてもよい。この場合、受信装置１１のCPU３２は、コピー対象のワンセグ番組のTSパケット等を記録部３３から削除しない。
【０１４８】
また、受信装置１１は、ユーザの嗜好に関する嗜好情報を取得し、その嗜好情報に基づいて、ユーザの嗜好する番組のワンセグ番組のみを、フルセグ番組とともに録画するようにしてもよい。この場合、例えば、受信装置１１にモバイル機器１２が接続されると、受信装置１１が、録画済のワンセグ番組をモバイル機器１２に自動的にダウンロードするようにしてもよい。
【０１４９】
さらに、EITのセクション情報として、サイマル放送の有無を表す情報が記述される場合、図１０の判定処理の代わりに、EITのセクション情報に基づいて、ムーブ対象の番組がサイマル放送されているかどうかを判定する処理を行うようにしてもよい。
【０１５０】
また、ワンセグ番組のメタ情報は、パケット処理部２３ではなく、CPU３２により作成されるようにしてもよい。ワンセグ番組のコンテンツのデータ量は少ないため、少ないCPU能力で、ワンセグ番組のメタ情報を作成することができる。
【０１５１】
なお、本明細書において、プログラム記録媒体に格納されるプログラムを記述するステップは、記載された順序に沿って時系列的に行われる処理はもちろん、必ずしも時系列的に処理されなくとも、並列的あるいは個別に実行される処理をも含むものである。
【０１５２】
また、本明細書において、システムとは、複数の装置により構成される装置全体を表すものである。
【０１５３】
さらに、本発明の実施の形態は、上述した実施の形態に限定されるものではなく、本発明の要旨を逸脱しない範囲において種々の変更が可能である。
【図面の簡単な説明】
【０１５４】
【図１】本発明を適用した送受信システムの構成例を示すブロック図である。
【図２】図１の受信装置の詳細構成例を示すブロック図である。
【図３】図２のCPUの機能的構成例を示すブロック図である。
【図４】図１のモバイル機器の詳細構成例を示すブロック図である。
【図５】PESパケットの構造について説明する図である。
【図６】サービスIDの構造について説明する図である。
【図７】受信装置における連続再生処理について説明するフローチャートである。
【図８】受信装置における連続再生処理について説明するフローチャートである。
【図９】受信装置におけるムーブ処理について説明するフローチャートである。
【図１０】図９の判定処理の詳細について説明するフローチャートである。
【図１１】モバイル機器における受信処理について説明するフローチャートである。
【図１２】モバイル機器におけるムーブ処理について説明するフローチャートである。
【図１３】受信装置における録画処理について説明するフローチャートである。
【符号の説明】
【０１５５】
１０  送受信システム，  １１  受信装置，  １２  モバイル機器，  ２１  チューナ部，  ３０  外部I/F部，  ３２  CPU，  ４１  管理制御部，  ４２  連携制御部，  ５８  外部I/F部，  ６０  CPU
【図１】
2008300910.tif 000003
【図２】
2008300910.tif 000004
【図３】
2008300910.tif 000005
【図４】
2008300910.tif 000006
【図５】
2008300910.tif 000007
【図６】
2008300910.tif 000008
【図７】
2008300910.tif 000009
【図８】
2008300910.tif 000010
【図９】
2008300910.tif 000011
【図１０】
2008300910.tif 000012
【図１１】
2008300910.tif 000013
【図１２】
2008300910.tif 000014
【図１３】
2008300910.tif 000015